(57)【要約】【課題】片手だけを使って、土瓶を手に提げそのまま傾け、土瓶内の湯茶や煎じエキスを他の容器に簡単に移すことができる土瓶を提供する。【解決手段】上面開口２０の器部分２を形成しその器部分２の胴部２ａに注ぎ口３を一体形成した土瓶本体１と、土瓶本体１の上部で注ぎ口３側とその反対側に端部５２を取着し土瓶本体１を手提げ姿態で持ち上げれるようにした把手５と、を備える土瓶において、前記器部分２に係る開口２０の内径を狭め、該開口２０の上に蓋７が載置できる縮径部２３を形成すると共に該縮径部２３から上方に口を広げて所定肉厚の蓋用ガイド部２４を延設し、さらに該ガイド部２４の注ぎ口３側の上縁部分２４１を延設し開口２０内に向かう鍔部２５を形成する。【選択図】　図１
2004049807.tif 000002
【特許請求の範囲】
【請求項１】
上面開口の器部分を形成しその器部分の胴部に注ぎ口を一体形成した土瓶本体と、土瓶本体の上部で注ぎ口側とその反対側に端部を取着し土瓶本体を手提げ姿態で持ち上げれるようにした把手と、を備える土瓶において、前記器部分に係る開口の内径を狭め、該開口の上に蓋が載置できる縮径部を形成すると共に該縮径部から上方に口を広げて所定肉厚の蓋用ガイド部を延設し、さらに該ガイド部の注ぎ口側の上縁部分を延設し開口内に向かう鍔部を形成することを特徴とする土瓶。
【発明の詳細な説明】
【０００１】
【発明の属する技術分野】
本発明は湯茶などをわかすのに用いられる土瓶に関する。
【０００２】
【従来の技術】
例えば、漢方薬の薬草等を煎じるのに土瓶が一般的に使用される。急須には胴から突き出す取っ手が設けられる。これに対し、土瓶は土瓶本体の上部で注ぎ口側とその反対側に端部を取着し土瓶本体を持ち上げれるようにした手提げ用把手（つる）が設けられる。この把手を握り、土瓶本体を手に提げて持つことになる。
【０００３】
【発明が解決しようとする課題】
ところが、薬草等を煎じ終えた後、土瓶を傾けてその煎じエキスを他の容器に移そうとしたときに、土瓶の蓋も一緒に傾いてしまい転げ落ちる不具合があった。急須では把手を持つ手の親指等で蓋を押えることが可能であるが、土瓶本体を手に提げた状態にして、その手で土瓶本体の上面開口を塞ぐ蓋を押えるのは難しかった。蓋が転がり落ちないようにするには、別の手で蓋を押え、注意しながら土瓶を傾けて他の容器に移さねばならなかった。
【０００４】
本発明は上記問題点を解決するもので、片手だけを使って、土瓶を手に提げそのまま傾け、土瓶内の湯茶や煎じエキスを他の容器に簡単に移すことができる土瓶を提供することを目的とする。
【０００５】
【課題を解決するための手段】
上記目的を達成すべく、請求項１に記載の発明の要旨は、上面開口の器部分を形成しその器部分の胴部に注ぎ口を一体形成した土瓶本体と、土瓶本体の上部で注ぎ口側とその反対側に端部を取着し土瓶本体を手提げ姿態で持ち上げれるようにした把手と、を備える土瓶において、前記器部分に係る開口の内径を狭め、該開口の上に蓋が載置できる縮径部を形成すると共に該縮径部から上方に口を広げて所定肉厚の蓋用ガイド部を延設し、さらに該ガイド部の注ぎ口側の上縁部分を延設し開口内に向かう鍔部を形成することを特徴とする土瓶にある。
【０００６】
請求項１の発明のごとく、ガイド部の注ぎ口側の上縁部分を延設し開口内に向かう鍔部を形成すると、土瓶を注ぎ口側に傾けたときに蓋の外周縁部分が鍔部の下に潜り込むので、鍔部に蓋が係止されて蓋が転げ落ちなくなる。土瓶は薬草等を煎じた後、注ぎ口側に傾けて煎じエキス等を注ぎ口側から他の容器に移すので、ガイド部の注ぎ口側上縁部分に開口内に向かう鍔部を延設すれば充分となる。
【０００７】
【発明の実施の形態】
以下、本発明の土瓶について詳述する。図１〜図５は、本発明に係る土瓶の一形態で、図１は蓋を外した状態の土瓶の斜視図、図２は蓋をした状態の土瓶の斜視図、図３は図２の縦断面図、図４は図３の蓋及び鍔部周り平面図、図５は土瓶で薬草を煎じた後、煎じエキスを他の容器に移す状態を示す説明断面図である。
【０００８】
本実施形態の土瓶は土瓶本体１と土瓶の開口２０を閉じる蓋７とを備える。土瓶本体１は器部分２と注ぎ口３と耳４と把手５とを具備する。
【０００９】
土瓶本体１の器部分２は薬草とお湯、或いは湯茶等をおさめる上面開口２０の陶磁器製の入れ物である。ここでは、薬草や茶葉の出し入れが容易になるよう、図２，図３のような底部２ｂから胴部２ａがせりあがって、湯茶等をおさめる収容部Ｏを形成する土鍋形状になっている。胴部２ａの直径は薬草８２を煎じるのに都合の良い２０ｃｍφ〜３０ｃｍφ程度の大きさがある。そして、器部分２の胴部２ａに注ぎ口３を一体形成する。注ぎ口３が取り付けられた器部分２には小孔２７が設けられており、薬草８２等を煎じた後、薬草８２や茶葉は小孔２７で止められ、煎じエキス８１だけが注ぎ口３を通って流れ出るようになっている（図５）。
【００１０】
土瓶本体１の器部分２はその上部２１で前記開口２０を形成するにあたって、開口２０の内径を一旦狭め、該開口２０の上に蓋７が載置できる縮径部２３を形成する。加えて、該縮径部２３から上方に口を広げて所定肉厚の蓋用筒形ガイド部２４を延設する。ガイド部２４は蓋７の直径より大きくし且つ蓋本体７１の外周縁部分７１１の厚みより高めに設定される。縮径部２３に蓋７を載せ、開口２０を閉じ、土瓶本体１を横方向に動かしてもガイド部２４が横ズレを防止し開口２０に蓋７をする状態が保たれる。
【００１１】
本発明はさらにガイド部２４の注ぎ口３側の上縁部分２４１を延設し開口２０内に向かう内向き水平の鍔部２５を形成し、縮径部２３から蓋用ガイド部２４さらにこの鍔部２５に向かう部分に断面「⊂」状に囲まれる空所Ｓを設ける（図３）。そして、鍔部２５と前記開口２０に載置された蓋７とが平面視で重なり合うよう設定する。鍔部２５は図３，図４に示すごとく平面視円弧形状の帯板部である。鍔部２５の張り出し幅Ｗは１ｃｍ〜３ｃｍの範囲で十分で、鍔部２５の円弧に沿って該鍔部２５の円弧状内側の一部と蓋本体７１の円形外周縁の一部とが重なり合う。符号Ｇはこの重なる領域を示す。
ガイド部２４の上縁部分２４１に円弧形状した鍔部２５を設けるゾーンは、器部分２の中心角θで表現すると３０°〜１２０°の範囲である（図４）。この範囲を越えると蓋７で開口２０を閉じたり開けたりする際、鍔部２５が邪魔して厄介になる。一方、中心角θが３０°未満になると土瓶を傾けたときに鍔部２５で蓋７を止められず蓋７が外れてしまうケースが出てくるからである。蓋７の開け閉めが容易で使い勝手が良く、且つ土瓶を傾けても蓋７が外れたり落ちたりしないより好ましい中心角θは４５°〜１２０°の範囲となる。本実施形態は中心角θを９０°弱とする。
【００１２】
符号４は器部分２の胴上部２１（肩部）で、注ぎ口３側とその反対側に固着された耳を示す。耳４はリング状にして把手端部５２を取着し易くする。
符号５は前記両耳４に端部５２を取着し、土瓶本体１を持ち上げれるよう主部５１を円弧状とする把手（つる）を示す。把手端部５２に「し」字状の係止部材を固着し、該係止部材を耳４のリング孔に挿通して把手端部５２が耳４に取着される。把手主部５１を握り、手提げ姿態で土瓶を持ち上げることができる。注ぎ口３，耳４，把手５，耳４が一直線状に並び、この直線に対し前記鍔部２５がほぼ線対称になる形で、注ぎ口３側のガイド部上縁部分２４１に鍔部２５が設けられる。
【００１３】
蓋７は器部分２の上面開口２０を閉じる陶磁器製の閉じ蓋である。蓋７は図２，図３ごとくの傘状体であるが、外周縁部分７１１にほぼ平らな面を形成する。前述のごとく、蓋７の径は縮径部２３の径より大きく、この縮径部２３に受け支えられて開口２０が蓋される。蓋７を縮径部２３に置き、開口２０を閉じたとき、外周縁部分７１１が縮径部２３の上面側に載り、蓋７の外周縁部分７１１と鍔部２５の間に若干の隙間εが形成される（図３）。隙間εを設けることによって蓋７を鍔部２５の下に潜り込ませ易くする。符号７２はつまみ、符号７３はガス抜き孔を示す。
【００１４】
ところで、前記鍔部２５が設けられたからといって、鍔部２５はガイド部２４の注ぎ口３側の上縁部分２４１に在るだけであり、開口２０に蓋をするのに支障はない。蓋７を注ぎ口３側に向け少し下降傾斜させて、空所Ｓに入り込むように蓋７を挿入して簡単に開口２０に蓋をすることができる。これと逆の動作を行えば、蓋７をまた簡単に開口２０から外すことができる。
【００１５】
このように構成した土瓶は、器部分２に係る開口２０の内径を狭め、該開口２０の上に蓋７が載置できる縮径部２３を形成すると共に該縮径部２３から上方に口を広げて所定肉厚の蓋用ガイド部２４を延設しているので、開口２０に一旦蓋をすれば、土瓶本体１を多少手荒く横移動させても、蓋７はガイド部２４に保持されて横ズレせず、開口２０に蓋した状態を保つ。そして、ガイド部２４の注ぎ口３側の上縁部分２４１を延設し開口２０内に水平内向きに向かう鍔部２５を形成するので、土瓶を注ぎ口３側に傾けた時に、蓋７が開口２０から離れようとしても、鍔部２５が蓋本体７１の外周縁部分７１１を上から覆って係止し、蓋７は外れなくなる。
【００１６】
収容部Ｏ内の煎じエキス８１等を取り出すために、土瓶を注ぎ口３側へ傾けていくと、まず注ぎ口３側へ蓋７が滑っていくが、蓋７が滑ってもガイド部２４を設けているので、該ガイド部２４が蓋７の滑り落ちを止める。ガイド部２４が設けられても、さらに土瓶を傾けていくと、蓋７がガイド部上縁部分２４１を乗り越えて土瓶本体１から転げ落ちてしまう。しかるに、本発明では鍔部２５に阻止されるので蓋７が転げ落ちることはない。縮径部２３から蓋用ガイド部２４さらに鍔部２５に向かう断面「⊂」状に囲まれた空所Ｓに蓋７の外周縁部分７１１がより深く嵌入し鍔部２５と蓋７が重なり合い、鍔部２５が蓋７を係止して蓋７は動けない状態になる（図５の鎖線）。加えて、本実施形態は鍔部２５と開口２０に載置された蓋７とが平面視でもともと重なり合っており、鍔部２５が蓋７を係止し且つ蓋外周縁部分７１１の空所Ｓへの嵌入を円滑にする。そして、土瓶を傾けたときはその重なり部分Ｇが増え、重なり部分Ｇの鍔部２５が蓋７の外周縁部分７１１を係止して蓋７の動きを一層効果的に制止する。且つ鍔部２５と蓋７との重なり部分Ｇは蓋７の外周縁の円弧に沿って円弧状に接するので、蓋７の動きをより確実に規制できる。土瓶を注ぎ口側へ９０°近く傾けても、蓋７が土瓶本体１から落下しない。従来品のごとく、蓋が反転して転げ落ちることもなくなる。
【００１７】
薬草８２等を煎じた後、把手５を手６にし土瓶を手提げ状態にして、そのまま傾けて煎じエキス８１等を他の容器９に容易に移すことができる。薬草８２等の土瓶は大きく、把手５を持つ手６で蓋７を押えることができない。結局、従来品では別の手６で蓋７を押えるしかなく、これが結構面倒であった。本発明によれば、既述のごとく片手６でいとも簡単に煎じエキス８１を注ぎ口３から出すことが可能になる。しかも、土瓶を大きく傾けても蓋７が外れないため、最後の一滴まで煎じエキス８１等を取り出すことができ、極めて有益となる。
【００１８】
尚、本発明においては、前記実施形態に示すものに限られず、目的，用途に応じて本発明の範囲で種々変更できる。土瓶本体１，器部分２，注ぎ口３，耳４，把手５，蓋７等の形状，大きさ，個数，材質等は用途に合わせて適宜選択できる。
【００１９】
【発明の効果】
以上のごとく、本発明の土瓶は、片手に提げてそのまま注ぎ口側に傾け、蓋を落とすことなく土瓶内の湯茶や煎じエキスを他の容器へ簡単に移すことができ優れた効果を発揮する。
【図面の簡単な説明】
【図１】本発明に係る土瓶の一形態で、蓋を外した状態の土瓶の斜視図である。
【図２】蓋をした状態の土瓶の斜視図である。
【図３】図２の縦断面図である。
【図４】図３の蓋及び鍔部周り平面図である。
【図５】土瓶で薬草を煎じた後、煎じエキスを他の容器に移す状態を示す説明断面図である。
【符号の説明】
１　　　　　土瓶本体
２　　　　　器部分
２０　　　　開口
２３　　　　縮径部
２４　　　　ガイド部
２４１　　　上縁部分
２５　　　　鍔部
３　　　　　注ぎ口
５　　　　　把手
５２　　　　端部
７　　　　　蓋
【図１】
2004049807.tif 000003
【図２】
2004049807.tif 000004
【図３】
2004049807.tif 000005
【図４】
2004049807.tif 000006
【図５】
2004049807.tif 000007